(57)【要約】【課題】簡易な構造で複数の袋の一体化を可能にする袋セットを提供する。【解決手段】本発明の袋セット（１００ａ）は、上端に開口（１１７）を有し、開口縁から延出するフラップ部（１１５）を有する第１の袋（１１０）と、第２の袋（１２０）とを備えている。フラップ部（１１５）及び／または第２の袋（１２０）は、第１の接着剤層（１１６）及び第２の接着剤層（１２８）を有している。第１の袋（１１０）と第２の袋（１２０）とを重ね合わせたときに、フラップ部（１１５）が第１の袋１１０の開口（１１７）と第２の袋（１２０）の上端とを覆った状態で第１の接着剤層（１１６）を介してフラップ部（１１５）と第２の袋（１２０）とが分離可能に接着されるように構成され、重ね合わせる面に設けられた第２の接着剤層（１２９）を介して、第１の袋（１１０）と第２の袋（１２０）とが分離可能に接着されるように構成されている。【選択図】図１
2015160619.tif 000002
【特許請求の範囲】
【請求項１】
上端に開口を有し、開口縁から延出するフラップ部を有する第１の袋と、
第２の袋とを備え、
前記フラップ部及び／または前記第２の袋は、第１の接着剤層を有し、
前記第１の袋と前記第２の袋とを重ね合わせたときに、前記フラップ部が前記第１の袋の開口と前記第２の袋の上端とを覆った状態で、前記第１の接着剤層を介して、前記フラップ部と前記第２の袋とが分離可能に接着されるように構成され、
前記第１の袋及び／または前記第２の袋は、第２の接着剤層をさらに有し、
前記第１の袋と前記第２の袋とを重ね合わせたときに、重ね合わせる面に設けられた前記第２の接着剤層を介して、前記第１の袋と前記第２の袋とが分離可能に接着されるように構成される、袋セット。
【請求項２】
前記第２の袋は、上端に開口を有し、
前記第１の袋と前記第２の袋とを重ね合わせたときに、前記フラップ部が前記第１及び第２の袋の前記開口のそれぞれを覆った状態で、前記第１の接着剤層を介して、前記フラップ部と前記第２の袋とが分離可能に接着されるように構成される、請求項１に記載の袋セット。
【請求項３】
前記第１の袋は、前記開口縁から上方に延出するヘッダ部をさらに有する、請求項１または２に記載の袋セット。
【発明の詳細な説明】
【技術分野】
【０００１】
本発明は、袋セットに関し、より特定的には、開口を有する複数の袋を備えた袋セットに関する。
【背景技術】
【０００２】
開口を有する複数の袋を備えた袋セットとして、例えば、特開２０１３−２１６３４１号公報（特許文献１）が挙げられる。この特許文献１には、上端に開口を有する複数の袋の各々を上端が略同位置となるように重ね、各々の袋の開口を蓋部で閉塞する袋セットが開示されている。
【先行技術文献】
【特許文献】
【０００３】
【特許文献１】特開２０１３−２１６３４１号公報
【発明の概要】
【発明が解決しようとする課題】
【０００４】
しかしながら、上記特許文献１の袋セットは、各々の袋とは別に設けた蓋部を用いて、各々の袋の一体化を図っている。このため、上記特許文献１では、複数の袋を一体化するためには、別部材の蓋部を必要とする。したがって、上記特許文献１の袋セットの構造は、簡易という点で十分でない。
【０００５】
本発明は、上記問題点に鑑み、簡易な構造で複数の袋の一体化を可能にする袋セットを提供することを課題とする。
【課題を解決するための手段】
【０００６】
本発明の袋セットは、上端に開口を有し、開口縁から延出するフラップ部を有する第１の袋と、第２の袋とを備えている。フラップ部及び／または第２の袋は、第１の接着剤層を有している。第１の袋と第２の袋とを重ね合わせたときに、フラップ部が第１の袋の開口と第２の袋の上端とを覆った状態で、第１の接着剤層を介してフラップ部と第２の袋とが分離可能に接着されるように構成されている。第１の袋及び／または第２の袋は、第２の接着剤層をさらに有している。第１の袋と第２の袋とを重ね合わせたときに、重ね合わせる面に設けられた第２の接着剤層を介して、第１の袋と第２の袋とが分離可能に接着されるように構成されている。
【０００７】
本発明の袋セットにおいて好ましくは、フラップ部または第２の袋は第１の接着剤層を有し、第１の袋と第２の袋とを重ね合わせたときに、フラップ部が第１の袋の開口と第２の袋の上端とを覆った状態で、第１の接着剤層を介して互いに分離可能に接着されるように構成され、第１の袋または第２の袋は、第１の袋と第２の袋とを重ね合わせたときに、互いに分離可能に接着され、重ね合わせた面に設けられる第２の接着剤層をさらに有している。
【０００８】
本発明の袋セットにおいて好ましくは、第２の袋は上端に開口を有し、第１の袋と第２の袋とを重ね合わせたときに、フラップ部が第１及び第２の袋の開口のそれぞれを覆った状態で、第１の接着剤層を介して、フラップ部と第２の袋とが分離可能に接着されるように構成されている。
【０００９】
本発明の袋セットにおいて好ましくは、第１の袋は、開口縁から上方に延出するヘッダ部をさらに有している。
【発明の効果】
【００１０】
本発明の袋セットによれば、簡易な構造で複数の袋の一体化を可能にする。
【図面の簡単な説明】
【００１１】
【図１】本発明の実施の形態１の袋セットを分解した状態を概略的に示す斜視図である。
【図２】（Ａ）は、本発明の実施の形態１の袋セットを背面から見たときの模式図であり、（Ｂ）は、本発明の実施の形態１の袋セットを側面から見たときの模式図である。
【図３】本発明の実施の形態１の袋セットを構成する第１の袋を背面から見たときの模式図である。
【図４】本発明の実施の形態１の袋セットを構成する第２の袋を背面から見たときの模式図である。
【図５】本発明の実施の形態２の袋セットを背面から見たときの模式図である。
【図６】本発明の実施の形態２の袋セットを側面から見たときの模式図である。
【図７】本発明の実施の形態３の袋セットを背面から見たときの模式図である。
【図８】本発明の実施の形態３の袋セットを側面から見たときの模式図である。
【図９】本発明の実施の形態３の袋セットを構成する第２の袋を背面から見たときの模式図である。
【図１０】本発明の実施の形態４の袋セットを背面から見たときの模式図である。
【図１１】本発明の実施の形態４の袋セットを側面から見たときの模式図である。
【図１２】本発明の実施の形態５の袋セットを背面から見たときの模式図である。
【図１３】本発明の実施の形態５の袋セットを側面から見たときの模式図である。
【図１４】本発明の実施の形態６の袋セットを側面から見たときの模式図である。
【図１５】本発明の実施の形態７の袋セットを側面から見たときの模式図である。
【発明を実施するための形態】
【００１２】
以下、図面に基づいて本発明の実施の形態を説明する。図２（Ａ）、図３、図５、図７、図１０及び図１２は、基本的には袋セットを背面から見た状態を示すが、フラップ部１１５のみ斜め後ろから見た状態を示す。図２（Ｂ）、図４、図６、図８、図１１、図１３及び図１４は、袋セットを側面から見た状態を示し、第１〜第３の接着剤層及びシート１１４ａを誇張して表現している。なお、以下の図面において同一または相当する部分には同一の参照符号を付しその説明は繰り返さない。
【００１３】
（実施の形態１）
図１〜図４を参照して、本発明の一実施形態の袋セットについて説明する。図１〜図４に示すように、本発明の実施の形態１の袋セット１００ａは、第１の袋１１０と、第２の袋１２０とを備えている。第１の袋１１０と第２の袋１２０とは、分離可能に接着されるように構成されている。
【００１４】
図１〜図３に示すように、第１の袋１１０は、前部１１２及び後部１１３を有する収納部１１１と、ヘッダ部１１４と、フラップ部１１５と、第１の接着剤層１１６とを含んでいる。第１の袋１１０は、例えば、合成樹脂製のフィルム袋である。
【００１５】
収納部１１１は、上端に開口１１７を有する袋である。この開口１１７を介して、前部１１２及び後部１１３で形成される空間内部に、物を収納することが可能である。
【００１６】
この開口１１７の外周縁、すなわち開口縁から上方にヘッダ部１１４が延出している。このヘッダ部１１４は収納部１１１の後部１１３の上端縁から上方に延びるように連なり、第１の袋１１０の上端で折り返された袋である。本実施の形態では、ヘッダ部１１４は、収納部１１１の前部１１２の上端縁とは連なっていない。ヘッダ部１１４の袋の中には、シート１１４ａが配置されている。ヘッダ部１１４の下端部はシール部１１４ｂ（図１、図２（Ａ）及び図３参照）により封止されている。ヘッダ部１１４には、陳列用の穴が形成されていてもよい。
【００１７】
このヘッダ部１１４の前方下端縁から、下方に延びるようにフラップ部１１５が連なっている。フラップ部１１５は、収納部１１１の開口１１７の外周縁、すなわち開口縁から延出している。本実施の形態では、収納部１１１の後部１１３側の開口縁と連なり、前部１１２の前方へ延びるように、延出している。
【００１８】
フラップ部１１５は、第１の接着剤層１１６を有している。第１の接着剤層１１６は、フラップ部１１５において収納部１１１と対向する面に設けられ、幅方向に延在する。
【００１９】
図１、図２及び図４に示すように、第２の袋１２０は、前部１２２及び後部１２３を有する収納部１２１と、第２の接着剤層１２８とを含んでいる。第２の袋１２０は、例えば、合成樹脂製のフィルム袋である。
【００２０】
収納部１２１は、上端に開口１２７を有する袋である。この開口１２７を介して、前部１２２及び後部１２３で形成される空間内部に、物を収納することが可能である。本実施の形態の第２の袋１２０は、開口１２７の外周縁、すなわち開口縁から延出するフラップ部を有していない。
【００２１】
第２の接着剤層１２８は、第１の袋１１０と第２の袋１２０とを重ね合わせたときに、重ね合わせる面に設けられ、第１の袋１１０と第２の袋１２０とが分離可能に接着されるように構成されている。本実施の形態では、第２の接着剤層１２８は、後部１２３の露出面に設けられ、第１の袋１１０の前部１１２に分離可能に接着される。第２の接着剤層１２８の配置は特に限定されないが、本実施の形態では、後部１２３の上方、具体的には開口１２７近傍に設けられている。なお、第２の接着剤層１２８は、後部１２３の中央に設けられてもよく、下方に設けられてもよい。また、第２の接着剤層１２８は、幅方向に延在している。なお、第２の接着剤層１２８は、第１の袋１１０の前部１１２に設けられてもよい。また、第２の接着剤層１２８は、第１の袋１１０の前部１１２及び第２の袋１２０の後部の両方に設けられていてもよい。この場合、第２の接着剤層１２８のそれぞれは、互いに重なり合わない位置に設けられることが好ましい。
【００２２】
第１の袋１１０と第２の袋１２０とは、図１及び図２に示すように、別部材を用いることなく、一体化することができる。具体的には、袋セット１００ａは、第１の袋１１０と第２の袋１２０とを重ね合わせたときに、フラップ部１１５が、第１の袋１１０の開口１１７と第２の袋１２０の上端（本実施の形態では開口１２７）とを覆った状態で、第１の接着剤層１１６を介して第２の袋１２０に分離可能に接着されるように構成されている。
【００２３】
第１の袋１１０の幅（図３における幅Ｘ１）と、第２の袋１２０の幅（図４における幅Ｙ１）とは、特に限定されないが、本実施の形態では、同程度である。また、第１の袋１１０の収納部１１１の長さ（図３における長さＸ２）と、第２の袋１２０の長さ（図４における長さＸ２）とは、特に限定されないが、本実施の形態では、第２の袋１２０の長さＸ２は、第１の袋１１０の長さＸ１よりも長い。このため、第１の袋１１０と第２の袋１２０とを重ね合わせて一体化した袋セット１００を背面（後部）から見た場合、幅方向においては、第２の袋１２０は第１の袋１１０から露出せず、長さ方向においては、第２の袋１２０の下端部は第１の袋１１０から露出している。
【００２４】
続いて、本実施の形態の袋セット１００の使用方法について説明する。まず、分離している第１の袋１１０と第２の袋１２０とを一体にする使用方法について説明する。
【００２５】
図３に示す第１の袋１１０と、図４に示す第２の袋１２０とをそれぞれ準備する。このとき、必要に応じて第１及び第２の袋１１０、１２０の中に収納することも可能である。第１の袋１１０のフラップ部１１５を上方に移動して、第１の接着剤層１１６を接着していない状態にする。この状態で、第１の袋１１０の前部１１２上に、第２の袋１２０の後部１２３を配置する。本実施の形態では、第２の袋１２０の上端の開口１２７と、第１の袋１１０の上端の開口１１７との開口位置を略合致させて、第１の袋１１０上に第２の袋１２０が重ね合わされている。第２の接着剤層１２８により、第１の袋１１０と第２の袋１２０とは接着される。次いで、第１の袋１１０の開口１１７と第２の袋の開口１２７とを覆うようにフラップ部１１５を配置する。第１の接着剤層１１６により、図１における矢印で示すように、フラップ部１１５と第２の袋１２０の前部１２２とが接着されるので、第１の袋１１０と第２の袋１２０とを一体にできる。
【００２６】
次に、一体になった第１の袋１１０と第２の袋１２０とを分離する方法について説明する。第１の袋１１０のフラップ部１１５を上方に移動させて、第１の接着剤層１１６を第２の袋１２０の前部１２２から分離する。次いで、第２の袋１２０の第２の接着剤層１２８を、第１の袋１１０の前部１１２から分離する。これにより、第１の袋１１０と第２の袋１２０とを分離することができる。
【００２７】
以上説明したように、本実施の形態の袋セット１００ａは、上端に開口１１７を有し、この開口縁から延出するフラップ部１１５を有する第１の袋１１０と、第２の袋１２０とを備え、フラップ部１１５は第１の接着剤層１１６を有し、第１の袋１１０と第２の袋１２０とを重ね合わせたときに、フラップ部１１５が、第１の袋１１０の開口１１７と第２の袋１２０の上端とを覆った状態で、第１の接着剤層１１６を介して第２の袋１２０に分離可能に接着されるように構成され、第１の袋１１０及び／または第２の袋１２０は第２の接着剤層１２８をさらに有し、第１の袋１１０と第２の袋１２０とを重ね合わせたときに、重ね合わせる面（第１の袋１１０の前部１１２及び第２の袋１２０の後部１２３）の少なくとも一方に設けられた第２の接着剤層１２８を介して、第１の袋１１０と第２の袋１２０とが分離可能に接着されるように構成される。
【００２８】
本実施の形態の袋セット１００ａによれば、第２の接着剤層１２８によって、第１の袋１１０の前部１１２と第２の袋１２０の後部１２３とが分離可能に接着され、第１の袋１１０のフラップ部１１５に設けられた第１の接着剤層１１６によって、フラップ部１１５と第２の袋１２０の前部１２２とが分離可能に接着されるように構成されている。このため、第１の袋１１０及び第２の袋１２０と異なる部材を用いずに、第１の袋１１０と第２の袋１２０とを一体にすることができる。したがって、本実施の形態の袋セット１００ａは、簡易な構造で複数の袋の一体化を可能にする。
【００２９】
本実施の形態の袋セット１００ａにおいて好ましくは、第２の袋１２０は、上端に開口１２７を有し、第１の袋１１０と第２の袋１２０とを重ね合わせたときに、フラップ部１１５が、第１及び第２の袋１１０、１２０の開口１１７、１２７のそれぞれを覆うように配置される。これにより、第１及び第２の袋１１０、１２０の開口１１７、１２７の両方を第１の袋１１０のフラップ部１１５で覆うので、より簡易な構造で複数の袋の一体化を可能にする。また、第２の袋１２０の開口１２７を覆うフラップ部を省略することもできるので、第２の袋１２０の形状の自由度を高めることができる。
【００３０】
本実施の形態の袋セット１００ａにおいてより好ましくは、第２の袋１２０は、第１の袋１１０と第２の袋１２０とを重ね合わせたときに、互いに分離可能に接着される第２の接着剤層１２８をさらに有している。第２の接着剤層１２８により、第１の袋１１０と第２の袋１２０とを、より安定して一体化することができる。
【００３１】
本実施の形態の袋セット１００ａにおいて好ましくは、第１の袋１１０は、開口縁から上方に延出するヘッダ部１１４をさらに有している。ヘッダ部１１４より、袋セット１００の陳列、持ち運び等が容易になるとともに、外観を向上することもできる。
【００３２】
（実施の形態２）
図５及び図６を参照して、本発明の実施の形態２の袋セット１００ｂについて説明する。実施の形態２の袋セット１００ｂは、基本的には図１及び図２に示す実施の形態１の袋セット１００ａと同様の構成を備えているが、第２の袋１２０が実施の形態１よりも小さい点において異なる。
【００３３】
具体的には、第２の袋１２０の幅（図４における幅Ｙ１）は、第１の袋１１０の幅（図３における幅Ｘ１）よりも小さい。また、第２の袋１２０の長さ（図４における長さＹ２）は、第１の袋１１０の収納部１１１の長さ（図３における長さＸ２）よりも小さい。このため、第１の袋１１０と第２の袋１２０とを重ね合わせて一体化した袋セット１００ｂを背面（後部）から見た場合、幅方向及び長さ方向において、第２の袋１２０は第１の袋１１０から露出していない。
【００３４】
（実施の形態３）
図７〜図９を参照して、本発明の実施の形態３の袋セット１００ｃについて説明する。なお、図９は、袋セット１００ｃを構成する第２の袋１２０のフラップ部１２５が開口１２７を覆っていない状態を示す背面図であって、開口１２７が下方に位置している。
【００３５】
実施の形態３の袋セット１００ｃは、基本的には図１及び図２に示す実施の形態１の袋セット１００ａと同様の構成を備えているが、図７〜図９に示すように、第２の袋１２０がフラップ部１２５をさらに有している点において異なる。
【００３６】
具体的には、図９に示すように、第２の袋１２０は、開口１２７を覆うことが可能であり、下端の開口１２７の外周縁、すなわち開口縁から延出するフラップ部１２５を有している。フラップ部１２５が開口１２７を覆うように配置されたときに、前部１２２においてフラップ部１２５と重なる領域に、第３の接着剤層１２６が設けられている。なお、第３の接着剤層１２６は、フラップ部１２５において前部１２２と対向する面に設けられてもよい。
【００３７】
図７及び図８に示すように、第２の袋１２０の開口が下方に位置するように、第１の袋１１０上に第２の袋１２０が配置される。このように第１の袋１１０と第２の袋１２０とを重ね合わせたときには、第１の袋１１０のフラップ部１１５は、第２の袋１２０においてフラップ部１２５及び開口１２７が設けられた位置と反対側の上端を覆うように配置される。これにより、別部材を用いることなく、袋セット１００ｃは一体化される。
【００３８】
一体化された袋セット１００ｃにおいて、第２の袋１２０は、開口１２７を覆うようにフラップ部１２５が配置されていてもよい。この場合、第３の接着剤層１２６により、下端の開口１２７を覆うことができる。
【００３９】
（実施の形態４）
図１０及び図１１を参照して、本発明の実施の形態４の袋セット１００ｄについて説明する。実施の形態４の袋セット１００ｄは、基本的には図７及び図８に示す実施の形態３の袋セット１００ｃと同様の構成を備えているが、図１０及び図１１に示すように、本実施の形態の第２の袋１２０のサイズは、実施の形態３の第２の袋１２０のサイズよりも小さい点において異なる。
【００４０】
具体的には、第２の袋１２０の幅（図９における幅Ｚ１）は、第１の袋１１０の幅（図３における幅Ｘ１）よりも小さい。このため、第１の袋１１０と第２の袋１２０とを重ね合わせて一体化した袋セット１００ｄを背面（後部）から見た場合、幅方向において、第２の袋１２０は第１の袋１１０から露出していない。なお、第２の袋１２０の長さ（図９における長さＺ２）は、第１の袋１１０の収納部１１１の長さと同程度である。
【００４１】
（実施の形態５）
図１２及び図１３を参照して、本発明の実施の形態５の袋セット１００ｅについて説明する。実施の形態５の袋セット１００ｅは、基本的には図７及び図８に示す実施の形態３の袋セット１００ｃと同様の構成を備えているが、図１２及び図１３に示すように、本実施の形態の第１の袋１１０のサイズは、実施の形態３の第１の袋１１０のサイズよりも小さい点において異なる。
【００４２】
具体的には、第２の袋１２０の幅（図９における幅Ｚ１）は、第１の袋１１０の幅（図３における幅Ｘ１）よりも大きい。また、第２の袋１２０の長さ（図９における長さＺ２）は、第１の袋１１０の収納部１１１の長さ（図３における長さＸ２）よりも長い。このため、第１の袋１１０と第２の袋１２０とを重ね合わせて一体化した袋セット１００ｅを背面（後部）から見た場合、幅方向及び長さ方向において、第２の袋１２０は第１の袋１１０から露出している。
【００４３】
（実施の形態６）
図１４を参照して、本発明の実施の形態６の袋セット１００ｆについて説明する。図１４に示す実施の形態６の袋セット１００ｆは、基本的には図５及び図６に示す実施の形態２の袋セット１００ｂと同様であるが、図１４に示すように、本実施の形態の第２の袋１２０がフラップ部１２５をさらに有している点において異なる。
【００４４】
具体的には、第２の袋１２０は、開口１２７を覆うことが可能であり、上端の開口１２７の外周縁、すなわち開口縁から延出するフラップ部１２５を有している。フラップ部１２５が開口１２７を覆うように配置されたときに、フラップ部１２５において前部１２２と重なる領域に、第３の接着剤層１２６が設けられている。なお、第３の接着剤層１２６は、前部１２２においてフラップ部１２５と対向する面に設けられてもよい。
【００４５】
図１４に示すように、第２の袋１２０の開口が上方に位置するように、第１の袋１１０上に第２の袋１２０が配置される。このように第１の袋１１０と第２の袋１２０とを重ね合わせたときには、第１の袋１１０のフラップ部１１５は、フラップ部１２５が開口１２７を覆った状態の第２の袋１２０の上端と、第１の袋１１０の開口１１７とを覆うように配置される。第１の接着剤層１１６は、第２の袋１２０のフラップ部１２５または前部１２２と分離可能に接着される。これにより、別部材を用いることなく、袋セット１００ｆは一体化される。
【００４６】
（実施の形態７）
図１５を参照して、本発明の実施の形態７の袋セット１００ｇについて説明する。図１５に示す実施の形態７の袋セット１００ｇは、基本的には図１及び図２に示す実施の形態１の袋セット１００ａと同様であるが、図１５に示すように、本実施の形態の第１の接着剤層１２９は、第２の袋１２０に設けられている点において異なる。
【００４７】
具体的には、第２の袋１２０の前部１２２において、第１の袋１１０の開口１１７と第２の袋１２０の開口１２７とをフラップ部１１５が覆った状態で、第２の袋１２０の前部１２２においてフラップ部１１５と対向する位置に第１の接着剤層１２９が設けられている。第２の袋１２０に設けられた第１の接着剤層１２９は、幅方向に延在している。本実施の形態では、第１の接着剤層１２９は、前部１２２の露出面の上端部、すなわち、前部１２２の露出面の開口１２７下に設けられている。
【００４８】
なお、本実施の形態の第１の接着剤層１２９は、第２の袋１２０に設けられ、実施の形態１〜６の第１の接着剤層１１６は、フラップ部１１５に設けられているが、本発明の袋セットにおいて、第１の接着剤層は、フラップ部及び第２の袋に設けられてもよい。この場合、第１の接着剤層１１６、１２９のそれぞれは、互いに重なり合わない位置に設けられることが好ましい。
【００４９】
以上説明したように、本実施の形態の袋セット１００ａは、上端に開口１１７を有し、この開口縁から延出するフラップ部１１５を有する第１の袋１１０と、第２の袋１２０とを備え、第２の袋１２０は第１の接着剤層１２９を有し、第１の袋１１０と第２の袋１２０とを重ね合わせたときに、フラップ部１１５が第１の袋１１０の開口１１７と第２の袋１２０の上端とを覆った状態で、第１の接着剤層１２９を介してフラップ部１１５に分離可能に接着されるように構成され、第１の袋１１０及び／または第２の袋１２０は、第２の接着剤層１２８をさらに有し、第１の袋１１０と第２の袋１２０とを重ね合わせたときに、重ね合わせる面に設けられた第２の接着剤層１２８を介して、第１の袋１１０と第２の袋１２０とが分離可能に接着されるように構成されている。
【００５０】
本実施の形態の袋セット１００ｇによれば、第２の接着剤層１２８によって、第１の袋１１０の前部１１２と第２の袋１２０の後部１２３とが分離可能に接着され、第２の袋１２０の上端部に設けられた第１の接着剤層１２９によって、フラップ部１１５と第２の袋１２０の前部１２２とが分離可能に接着されるように構成されている。このため、第１の袋１１０及び第２の袋１２０と異なる部材を用いずに、第１の袋１１０と第２の袋１２０とを一体にすることができる。したがって、本実施の形態の袋セット１００ｇは、簡易な構造で複数の袋の一体化を可能にする。
【００５１】
ここで、上述した実施の形態１〜６では、第１の袋と第２の袋とを備えている袋セットについて説明したが、本発明の袋セットは、３つ以上の袋を備えていてもよい。袋セットが第３の袋をさらに備えている場合には、例えば、図２（Ｂ）において、第１の袋１１０と第２の袋１２０との間に第３の袋を配置し、第１〜第３の袋を重ね合わせたときに、フラップ部１１５が、第１の袋の開口と第２及び第３の袋の上端とを覆った状態で第１の接着剤層１１６を介して第２の袋１２０に分離可能に接着されるように構成される。
【００５２】
以上のように本発明の実施の形態について説明を行なったが、各実施の形態の特徴を適宜組み合わせることも当初から予定している。また、今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００５３】
１００ａ，１００ｂ，１００ｃ，１００ｄ，１００ｅ，１００ｆ  袋セット、１１０  第１の袋、１２０  第２の袋、１１１，１２１  収納部、１１２，１２２  前部、１１３，１２３  後部、１１４  ヘッダ部、１１４ａ  シート、１１４ｂ  シール部、１１５，１２５  フラップ部、１１６，１２９  第１の接着剤層、１１７，１２７  開口、１２６  第３の接着剤、１２８  第２の接着剤、Ｘ１，Ｙ１，Ｚ１  幅、Ｘ２，Ｙ２，Ｚ３  長さ。
【図１】
2015160619.tif 000003
【図２】
2015160619.tif 000004
【図３】
2015160619.tif 000005
【図４】
2015160619.tif 000006
【図５】
2015160619.tif 000007
【図６】
2015160619.tif 000008
【図７】
2015160619.tif 000009
【図８】
2015160619.tif 000010
【図９】
2015160619.tif 000011
【図１０】
2015160619.tif 000012
【図１１】
2015160619.tif 000013
【図１２】
2015160619.tif 000014
【図１３】
2015160619.tif 000015
【図１４】
2015160619.tif 000016
【図１５】
2015160619.tif 000017